(57)【要約】      （修正有）【課題】保管・管理が容易で、意外性のある移動動作を行う移動玩具を提供する。【解決手段】玩具本体に設けられている操作部材３を押し込んだ際に吸盤１１がコイルバネ１０の付勢力に抗して操作部材を一時的にその場に保持し、コイルバネの付勢力が吸盤の吸着力を上回ると、その付勢力によって操作部材を一気に玩具本体から突出させる。これを外部物体に当てた際に生じる反力によって、玩具本体を移動させる。【選択図】図３
0003235032.tif 000002
【実用新案登録請求の範囲】
【請求項１】
玩具本体と、
前記玩具本体に対して出没する方向に動作可能で当該玩具本体の外部から操作可能に構
成された操作部材と、
前記操作部材と前記玩具本体の固定部との間に配設され、前記操作部材が前記玩具本体
に対して没する方向に動作することにより付勢力を蓄え、この蓄えた付勢力によって前記
操作部材を前記玩具本体から突出させる方向へ付勢する弾性体と、
前記操作部材側及び前記玩具本体側の少なくとも一方に設けられ、前記操作部材の操作
によって前記操作部材を前記玩具本体に対して没する方向に動作させた際に前記弾性体の
付勢力に抗する保持力によって前記操作部材を前記玩具本体の所定位置に保持する保持手
段と、
を備え、
前記操作部材の操作によって前記操作部材を前記玩具本体に対して没する方向へ動作さ
せることで前記保持手段の保持力によって前記操作部材を前記玩具本体の所定位置に一時
保持させると共に、前記弾性体の付勢力が前記保持手段の保持力を上回り前記保持手段の
保持力から前記操作部材が解放された際に、前記操作部材を前記玩具本体に対して一気に
突出する方向に動作させるように構成し、
前記操作部材の突出力を外部物体に作用させ、その反力によって、前記玩具本体を移動
させることが可能となるように構成したことを特徴とする移動玩具。
【考案の詳細な説明】
【技術分野】
【０００１】
本考案は移動玩具に関するものである。
【背景技術】
【０００２】
従来、車両玩具として、玩具本体と発射装置とが別体となったものが知られている（例
えば特許文献１参照）。この車両玩具は、玩具本体としてのミニチュアカーと、発射装置
としてのスターターを備えている。
そして、この車両玩具では、ミニチュアカーの後部の押棒にスターターを強く押し当て
、スターター内のバネを圧縮状態にすると共に、スターターの係止部の爪をミニチュアカ
ーの切欠部に係止させ、これによりバネの圧縮状態を保持しておき、その後に、スタータ
ーの操作ボタンを操作し、係止部の爪を切欠部から引き離すことによって、バネの付勢力
によりミニチュアカーを発射させている。
【先行技術文献】
【特許文献】
【０００３】
【特許文献１】実開昭５８−１１７６９８号公報
【考案の概要】
【考案が解決しようとする課題】
【０００４】
しかしながら、上記特許文献１では、玩具本体と発射装置とが別体となっているため、
保管・管理対象が２つとなり、面倒である。
また、発射装置の操作ボタンを操作すると、玩具本体が直ちに発射されるため、意外性
に乏しく、ミニチュアカーがあたかも自走（移動）しているかのような感覚を楽しむこと
ができない。
【０００５】
本考案は、かかる問題点に鑑みなされたもので、保管・管理が容易で、且つ、意外性の
ある移動動作を行う移動玩具を提供することを目的とする。
【課題を解決するための手段】
【０００６】
請求項１に記載の考案は、
玩具本体と、
前記玩具本体に対して出没する方向に動作可能で当該玩具本体の外部から操作可能に構
成された操作部材と、
前記操作部材と前記玩具本体の固定部との間に配設され、前記操作部材が前記玩具本体
に対して没する方向に動作することにより付勢力を蓄え、この蓄えた付勢力によって前記
操作部材を前記玩具本体から突出させる方向へ付勢する弾性体と、
前記操作部材側及び前記玩具本体側の少なくとも一方に設けられ、前記操作部材の操作
によって前記操作部材を前記玩具本体に対して没する方向に動作させた際に前記弾性体の
付勢力に抗する保持力によって前記操作部材を前記玩具本体の所定位置に保持する保持手
段と、
を備え、
前記操作部材の操作によって前記操作部材を前記玩具本体に対して没する方向へ動作さ
せることで前記保持手段の保持力によって前記操作部材を前記玩具本体の所定位置に一時
保持させると共に、前記弾性体の付勢力が前記保持手段の保持力を上回り前記保持手段の
保持力から前記操作部材が解放された際に、前記操作部材を前記玩具本体に対して一気に
突出する方向に動作させるように構成し、
前記操作部材の突出力を外部物体に作用させ、その反力によって、前記玩具本体を移動
させることが可能となるように構成したことを特徴とする移動玩具である。
【０００７】
請求項２に記載の考案は、請求項１に記載の移動玩具において、前記保持手段は、前記
操作部材側及び前記玩具本体側の一方に設けられ、前記操作部材の操作によって前記操作
部材を前記玩具本体に対して没する方向に動作させた際に前記弾性体の付勢力に抗する吸
着力によって前記操作部材を前記玩具本体の所定位置に保持する吸盤から構成されている
ことを特徴とする。
【０００８】
請求項３に記載の考案は、請求項１に記載の移動玩具において、前記保持手段は、前記
操作部材側及び前記玩具本体側少なくとも一方に設けられ、前記操作部材の操作によって
前記操作部材を前記玩具本体に対して没する方向に動作させた際に前記弾性体の付勢力に
抗する粘着力によって前記操作部材を前記玩具本体の所定位置に保持する粘着部材から構
成されていることを特徴とする。
【０００９】
請求項４に記載の考案は、請求項１に記載の移動玩具において、前記保持手段は、前記
操作部材側及び前記玩具本体側の少なくとも一方に設けられ、前記操作部材の操作によっ
て前記操作部材を前記玩具本体に対して没する方向に動作させた際に前記弾性体の付勢力
に抗する摩擦抵抗によって前記操作部材を前記玩具本体の所定位置に保持する摩擦抵抗付
与部材から構成されていることを特徴とする。
【００１０】
請求項５に記載の考案は、請求項１〜４いずれか一項に記載の移動玩具において、前記
弾性体はバネであることを特徴とする。
【００１１】
請求項６に記載の考案は、請求項１〜５いずれか一項に記載の移動玩具において、車両
玩具として構成され、前記操作部材は、前記車両玩具の前後方向に動作可能に構成されて
いることを特徴とする。
【００１２】
請求項７に記載の考案は、請求項６に記載の移動玩具において、前記操作部材にはラッ
クが設けられ、前記車両玩具には、前記ラックと噛合するピニオンと、前記ピニオンの回
転に伴って回転する車輪とが設けられていることを特徴とする。
【考案の効果】
【００１３】
請求項１〜７の考案によれば、玩具本体と発射装置とが一体となっているから、玩具本
体と発射装置とが別体となっている場合と比較して、保管・管理が容易となる。
また、操作部材を玩具本体に押し込むだけで、弾性体が圧縮状態となると共に、保持手
段が一時的（不定時間）に弾性体の圧縮状態を保持した後、当該弾性体の付勢力により移
動玩具を移動させることができるから、移動玩具が移動する際には、あたかも移動玩具が
遊戯者の意図とは関係なく移動しているかのように演出することができる。
【図面の簡単な説明】
【００１４】
【図１】第１の実施形態に係る車両玩具の斜視図である。
【図２】図１の車両玩具の分解斜視図である。
【図３】図１の車両玩具の要部の動作を説明するための側面図である。
【図４】第２の実施形態に係る車両玩具の要部を示す側面図である。
【図５】第３の実施形態に係る車両玩具の要部を示す側面図である。
【図６】第４の実施形態に係る車両玩具の要部を示す側面図である。
【考案を実施するための形態】
【００１５】
以下、実施形態に係る移動玩具を図面に基づいて説明する。
【００１６】
［第１の実施形態］
図１は第１の実施形態に係る移動玩具の斜視図、図２はこの移動玩具の分解図を示して
いる。
この移動玩具は車両玩具１００として構成されている。この車両玩具１００の玩具本体
２は、図２に示すように、前面部４、左側面車体５、右側面車体６及び下部車体７を有し
ている。
【００１７】
前面部４には擬人的なモチーフが施されている。
下部車体７の前部及び後部の左右両端には、凹状の軸受７ａ，７ａ，７ｂ，７ｂが形成
されている。また、下部車体７の前部及び後部には矩形の車輪窓７ｃ，７ｄが形成されて
いる。そして、前部の車輪窓７ｃには、軸８ａ，８ａが軸受７ａ，７ａに支持された状態
で前輪８が設置され、後部の車輪窓７ｄには、軸９ａ，９ａが軸受７ｂ，７ｂに支持され
た状態で後輪９が設置されている。
この下部車体７の前後方向中央部には左右両側に張り出す突部７ｅ，７ｅが設けられて
おり、下部車体７は、左側面車体５及び右側面車体６を互いに組み付ける際に、突部７ｅ
，７ｅを左側面車体５及び右側面車体６の凹部５ａ，６ａ（左側面車体５の凹部５ａは不
図示）に嵌合させることによって左側面車体５及び右側面車体６に固定される。
【００１８】
左側面車体５及び右側面車体６の内面には、弧状の溝５ｄ，６ｄ（左側面車体５の溝５
ｄは不図示）を有する軸受１２が形成されている。この軸受１２によって、保持手段であ
る吸盤１１が支持されている。
すなわち、吸盤１１は吸盤本体１１ａと軸１１ｂとを有する。このうち軸１１ｂは、太
軸１１１と細軸１１２とからなり、吸盤１１ｂは、細軸１１２の鍔部１１３が溝５ｄ，６
ｄに嵌合されることによって、左側面車体５及び右側面車体６に固定される。
【００１９】
また、玩具本体２には、吸盤１１の後方に、前後方向に往復動作可能に操作部材３が設
置されている。この操作部材３は、当て部３ａと、この当て部３ａの後端に固定されたバ
ネ枠３ｂと、このバネ枠３ｂの後端に固定され玩具本体２を貫通するロッド３ｃと、この
ロッド３ｃの後端に固定された操作部３ｄとを有する。
当て部３ａは、被吸着面３１ａが形成された円板から構成されている。この当て部３ａ
の被吸着面３１ａは、吸盤１１の吸着面より面積が大きくなるように構成されている。な
お、この被吸着面３１ａは、円状に限られず、矩形状その他の形状であってもよい。以下
同様である。
バネ枠３ｂは左右に開口する矩形状の枠体として構成されている。このバネ枠３ｂには
、右側面車体６に形成された突片（玩具本体２の固定部）６ｅが右方開口から挿入されて
いる。そして、この突片６ｅとバネ枠３ｂの後壁との間には、弾性体であるコイルバネ１
０が設置され、操作部材３はこのコイルバネ１０によって後方に向けて付勢可能となって
いる。なお、ここでは、弾性体の一例としてコイルバネ１０を用いているが、ゴムその他
の弾性体を用いてもよい。要は、弾性体によって操作部材３が後方に向けて付勢可能とな
っていることである。また、圧縮コイルバネを用いているが、引張りコイルバネであって
もよく、以下、同様である。
ロッド３ｃは円柱状に形成されている。このロッド３ｃは、左側面車体５及び右側面車
体６の後壁に形成された半月状の切欠き５ｆ，６ｆ（左側面車体５の溝５ｆは不図示）か
らなる円孔から玩具本体２の後方に突出している。なお、このロッド３ｃは円柱状でなく
ても角柱状その他の形状であってもよい。要は、玩具本体２を貫通し、且つ、玩具本体２
に対して前後方向に相対移動可能となっていればよい。以下同様である。
操作部３ｄは円板状に形成されている。なお、この操作部３ｄは円柱状でなくても角柱
状その他の形状であってもよい。以下同様である。
【００２０】
続いて、車両玩具１００の使用方法をその動作と共に説明する。
【００２１】
前輪８及び後輪９を接地させた状態で、玩具本体２を後方（壁側）に引いて部屋の壁等
に操作部３ｄを押し付ける。そして、この押し付け力によって、操作部材３を玩具本体２
の内側へ押し込む。
すると、玩具本体２の突片６ｅは相対的に操作部材３の後方に移動し、コイルバネ１０
がバネ枠３ｂの後壁と突片６ｅとの間で圧縮される。また、同時に、操作部材３の当て部
３ａの被吸着面３１ａが吸盤１１に押し付けられ、被吸着面３１ａが吸盤１１に吸着され
る。
この状態で、車両玩具１００から手を離す。この手を離した時点では、吸盤１１の吸着
力がコイルバネ１０の付勢力より大きく、被吸着面３１ａが吸盤１１に吸着された状態を
保持しているので、車両玩具１００は直ぐには走り出さない。
【００２２】
その後、コイルバネ１０の付勢力によって吸盤１１から被吸着面３１ａが徐々に剥がさ
れることによって吸盤１１の吸着力が低下し、コイルバネ１０の付勢力が吸盤１１の吸着
力を上回ると、吸盤１１から被吸着面３１ａが完全に剥がれて、コイルバネ１０がその付
勢力によって操作部材３が玩具本体２の後方に勢いよく移動する。これによって、操作部
３ｄが部屋の壁等を強く蹴り、その反動によって、車両玩具１００が前方に押し出される
。
【００２３】
以上の実施形態によれば、次のような効果を得ることができる。
玩具本体２に自らの発射装置が組み込まれているので、玩具本体２と発射装置とを別体
とした場合に比べて、保管・管理が容易となる。
また、操作部３ｄを壁等に押し当てるだけで、コイルバネ１０が圧縮状態となり、吸盤
１１がコイルバネ１０の圧縮状態を一時的に（不定時間）保持するから、車両玩具１００
が走行するまでには一定の時間を必要とし、車両玩具１００が走行する際には、あたかも
車両玩具１００が遊戯者の意図とは関係なく自走しているかのように演出することができ
る。
なお、一時的な保持の時間は、玩具本体２への操作部材３の押し込みの後に１０秒程度
以内、好ましくは、数秒程度（例えば３又は４秒程度）以内である。あまり長いと、玩具
本体１の移動開始までの待ち時間が長くなり、飽きがきてしまうからである。一方、この
保持時間の下限について言えば、あまり短いと玩具本体１の移動開始までのドキドキ感が
味わうことができないので、少なくとも１秒程度の余裕があることが好ましい。以下、同
様である。
【００２４】
なお、本実施形態では移動玩具として車両玩具１００を例に説明したが、ロボット玩具
、動物玩具、水上を走る船玩具等とすることもできる。
【００２５】
［第２の実施形態］
図４は第２の実施形態に係る移動玩具を示している。
この車両玩具１００は第１の実施形態と同様に車両玩具１００として構成されている。
この車両玩具１００は、主に、下記の点で第１の実施形態と異なっている。
なお、この車両玩具１００は、下記の点以外は、第１の実施形態と同一であるので、同
一部分の説明及び図示は適宜省略すると共に、省略しない同一の説明及び図示には、同一
の符号を付する用いるものとする。
【００２６】
この車両玩具１００は、第１の実施形態の吸盤１１の代わりに、玩具本体２の固定され
ている部分２１に形成された粘着部２２を有する。
この粘着部２２は、操作部材３が玩具本体２の内方に移動した際に、当て部３ａを粘着
する。
そして、粘着部２２は、吸盤１１を用いた場合と同様に、吸盤１１がコイルバネ１０の
圧縮状態を一時的に保持し、粘着部２２の粘着力の低下によって、コイルバネ１０の付勢
力が粘着力を上回ると粘着を解除する。
なお、この粘着部２２は、ここでは玩具本体２の固定部２１側に設けられているが、反
対に当て部３ａに設けられていてもよいし、固定部２１及び当て部３ａの双方に設けられ
ていてもよい。
【００２７】
この第２の実施形態によれば、第１の実施形態と同様の効果を得ることができる。
【００２８】
［第３の実施形態］
図５は第３の実施形態に係る移動玩具を示している。
この車両玩具１００は第１の実施形態と同様に車両玩具１００として構成されている。
この車両玩具１００は、主に、下記の点で第１の実施形態と異なっている。
なお、この車両玩具１００は、下記の点以外は、第１の実施形態と同一であるので、同
一部分の説明及び図示は適宜省略すると共に、省略しない同一の説明及び図示には、同一
の符号を用いるものとする。
【００２９】
この車両玩具１００は、第１の実施形態の吸盤１１の代わりに、操作部材３のロッド３
ｃの周面にゴム等の摩擦抵抗付与部材４１を添設している。
【００３０】
この実施形態の車両玩具１００では、操作部材３を、図５（Ａ）に示すように、コイル
バネ１０の付勢力に抗して玩具本体２内に押し込む。すると、操作部材３のロッド３ｃの
摩擦抵抗付与部材４１が、半月状の切欠き５ｆ，６ｆからなる円孔４２に嵌合する。これ
によって、操作部材３は、摩擦抵抗付与部材４１の摩擦抵抗によって玩具本体２に一時的
に保持される。
この状態で放置すると、操作部材３がコイルバネ１０の付勢力によって、徐々に図５（
Ａ）における右方に移動する。そして、遂には、摩擦抵抗付与部材４１が円孔４２から抜
け出る。すると、操作部材３は、摩擦抵抗付与部材４１と円孔４２の内周面と間の摩擦力
から開放されるので、コイルバネ１０の付勢力のみが操作部材３に作用するため、操作部
材３が玩具本体２から図５（Ｂ）において右方に移動する。これによって、操作部３ｄが
部屋の壁等を強く蹴り、その反動によって、車両玩具１００が前方に押し出される。
なお、この摩擦抵抗付与部材４１は、ここでは操作部材３のロッド３ｃの周面に設けら
れているが、反対に玩具本体２の円孔４２の内周に設けられていてもよいし、ロッド３ｃ
及び円孔４２の双方に設けられていてもよい。
【００３１】
この第２の実施形態によれば、第１の実施形態と同様の効果を得ることができる。
【００３２】
［第４の実施形態］
図６は第４の実施形態に係る移動玩具を示している。
この車両玩具１００は第１の実施形態と同様に車両玩具１００として構成されている。
この車両玩具１００は、主に、下記の点で第１の実施形態と異なっている。
なお、この車両玩具１００は、下記の点以外は、第１の実施形態と同一であるので、同
一部分の説明及び図示は適宜省略すると共に、省略しない同一の説明及び図示には、同一
の符号を用いるものとする。
【００３３】
この車両玩具１００は、バネ枠３ｂの先端面からロッド５１を前方に延設し、その先端
に当て部３ａを固定して設けると共に、そのロッド５１にラック５２を形成し、ロッド５
１の先端部に、クラッチ手段である切欠き５３を形成している。
また、玩具本体２にピニオン５４を設置し、該ピニオン５４をラック５２に噛合させる
と共に、後輪９の軸に、歯車５５を固着し、該歯車５５がピニオン５４に噛合させている
。なお、ピニオン５４と同軸にフライホイールを設けてもよい。
なお、この車両玩具１００では、吸盤１１を使用しているが、代わりに、粘着部２２や
摩擦抵抗付与部材４１を使用してもよい。
【００３４】
この車両玩具１００では、操作部材３がコイルバネ１０の付勢力によって、図６（Ａ）
における右方に移動する際に、ロッド５１も右方に移動し、ラック５２がピニオン５４を
回転させ、歯車５５を介して後輪９が回転し始める。そして、ロッド５１がさらに移動さ
れると、ロッド５１の切欠き５３がピニオン５４に達し、ロッド５１の運動は、ピニオン
５４に伝達されず、後輪９は自由回転になる（図６（Ｂ））。この場合、ピニオン５４と
同軸にフライホイールを設けたものでは、フライホイールを設けない場合に比べて、長時
間の走行が可能となる。
【００３５】
この第４の実施形態によれば、第１の実施形態と同様の効果を得ることができる。
【００３６】
以上、本考案の実施形態について説明したが、本考案は、かかる実施形態に限定される
ものではなく、その要旨を逸脱しない範囲で、種々変形が可能である。
例えば、上記実施形態では、移動玩具を車両玩具１００として構成した例について説明
したが、移動玩具を上方又は斜め上方に飛び出すロケット玩具や飛びはね玩具として構成
してもよい。
【００３７】
また、上記実施形態では、保持手段を吸盤１１、粘着部２２又は摩擦抵抗付与部材４１
で構成した例について説明したが、フックテープ及びループテープからなる面ファスナに
よって構成してもよい。
さらに、保持手段を電磁コイル及び磁性体（永久磁石を含む）によって構成し、電磁コ
イルの磁力を変化させることで、操作部材３の保持及び保持解除を行ってもよい。
また、保持手段をシリンダ及びピストンによって構成し、操作部材３が玩具本体２に押
し込まれる際にはピストンがシリンダに嵌入され、その際に、シリンダに設けた弁がシリ
ンダ内圧によって開かれ、操作部材３が玩具本体２から突出する方向に動作する際には、
上記弁が閉じ、シリンダ内が負圧になって操作部材３を保持するように構成されていても
よい。
【符号の説明】
【００３８】
１００    車両玩具
２    玩具本体
３    操作部材
３ｄ    操作部
５    左側面車体
６    右側面車体
７    下部車体
８    前輪
９    後輪
１０    コイルバネ
１１    吸盤
２２    粘着部
【図１】
0003235032.tif 000003
【図２】
0003235032.tif 000004
【図３】
0003235032.tif 000005
【図４】
0003235032.tif 000006
【図５】
0003235032.tif 000007
【図６】
0003235032.tif 000008